(57)【要約】      （修正有）【課題】和装をとても華やかに見せることができ、その華やかさが距離が離れても暗いところでも分かりやすい和装要素を提供する。【解決手段】和装要素１０に、リード線２で結線された複数のＬＥＤ１を、該ＬＥＤ１の発光が外部から視認できるように取り付けた。和装要素は、着物、帯、羽織、コート、足袋、半襟、伊達襟１０、帯揚、帯締、襟巻き又は肩掛け（羽毛ショール）である。着物には、振袖、留袖、打掛、訪問着、付け下げ、色無地、袴、浴衣、小紋、紬、その他の各種着物が含まれる。【選択図】図１
0003206835.tif 000002
【実用新案登録請求の範囲】
【請求項１】
和装要素（１０，２０）に、リード線（２）で結線された複数のＬＥＤ（１）を、該ＬＥＤ（１）の発光が外部から視認できるように取り付けたことを特徴とする和装要素。
【請求項２】
和装要素（１０，２０）は、着物、帯、羽織、コート、足袋、半襟、伊達襟、帯揚、帯締、襟巻き又は肩掛けである請求項１記載の和装要素。
【請求項３】
着物は、振袖、留袖、打掛、訪問着、付け下げ、色無地、袴、浴衣、小紋又は紬である請求項２記載の和装要素。
【請求項４】
ＬＥＤ（１）の発光面（３）が和装要素（１０，２０）の外部に現れている請求項１、２又は３記載の和装要素。
【請求項５】
ＬＥＤ（１）の発光面（３）が和装要素（１０，２０）の透光性の素材の内側にある請求項１、２又は３記載の和装要素。
【考案の詳細な説明】
【技術分野】
【０００１】
本考案は、和装一具に属する和装要素に関するものである。
【背景技術】
【０００２】
着物は、正装用としては成人式、入学式、卒業式、結婚式、叙勲式、茶会等の機会に着用され、また、普段着として接客、訪問、祭り等の機会に着用される。これら様々な機会のうち、例えば同級生、友人らが集う成人式や祭り等においては、和装を通常よりも華やかに見せたいと考えることがある。
【０００３】
従来、和装を華やかに見せるために、次のような提案がされている。
特許文献１には、レース編地のすかし模様部を表生地に重ね合わせた和装用伊達襟が記載されている。
特許文献２には、光を反射する石やガラスを所定の形状に加工した装飾片を複数個止着した着物が記載されている。
特許文献３には、光を反射するビーズ球を１つ１つ縫い糸で縫い付けた半襟が記載されている。
【先行技術文献】
【特許文献】
【０００４】
【特許文献１】実開昭５８−１６０２１９号公報
【特許文献２】実用新案登録第３１１７５３２号公報
【特許文献３】実用新案登録第３１７６８０９号公報
【考案の概要】
【考案が解決しようとする課題】
【０００５】
特許文献１〜３の手段により、和装をある程度華やかに見せることができる。しかし、まだ華やかさが足りないことがある。また、距離が離れたり、暗い所では、その華やかさが分かりにくいという問題がある。
【０００６】
そこで、本考案の目的は、和装をとても華やかに見せることができ、その華やかさが距離が離れても暗いところでも分かりやすい和装要素を提供することにある。
【課題を解決するための手段】
【０００７】
本考案は、和装要素に、リード線で結線された複数のＬＥＤ（発光ダイオード）を、該ＬＥＤの発光が外部から視認できるように取り付けたことを特徴とする和装要素。
【０００８】
ここで、和装要素としては、和装一具に属する、着物、帯、羽織、コート、足袋、小物を挙げることができる。着物には、振袖、留袖、打掛、訪問着、付け下げ、色無地、袴、浴衣、小紋、紬、その他の各種着物が含まれる。小物には、半襟、伊達襟（重ね襟）、帯揚、帯締、襟巻き、肩掛け（ショール）が含まれる。
【０００９】
リード線で結線された複数のＬＥＤの構成は、特に限定されないが、リード線からＬＥＤが突出したものや、リード線とＬＥＤが透明な軟質チューブに内蔵されたもの等を例示できる。リード線も、特に限定されず、コード、プリント配線等を例示できる。複数のＬＥＤの数量は、特に限定されないが、３〜５０個を例示できる。ＬＥＤの発光色は、特に限定されず、任意の色を採用することができる。複数のＬＥＤの発光色は、単一色でもよいし、複数色の組み合わせでもよい。
【００１０】
ＬＥＤの発光面が和装要素の外部に現れていると、鮮やかな輝きが見られる。この場合、ＬＥＤの発光面以外の部位は和装要素の外部にあっても内部にあってもよい。
ＬＥＤの発光面が和装要素の透光性の素材の内側にあると、該素材を通して柔らかな輝きが見られる。
【００１１】
リード線は、和装要素の外部を這わせてもよいし、内部を通してもよい。
【考案の効果】
【００１２】
本考案の和装要素によれば、和装をとても華やかに見せることができ、その華やかさが距離が離れても暗いところでも分かりやすいという優れた効果を奏する。
【図面の簡単な説明】
【００１３】
【図１】実施例１の和装要素（伊達襟）の（ａ）は着用時の斜視図、（ｂ）は単体の斜視図である。
【図２】実施例１の和装要素（伊達襟）の３通りの部分拡大断面図である。
【図３】実施例２の和装要素（羽毛ショール）の（ａ）は着用時の斜視図、（ｂ）は部分拡大断面図である。
【考案を実施するための形態】
【００１４】
和装要素１０，２０に、リード線２で結線された複数のＬＥＤ１を、該ＬＥＤ１の発光が外部から視認できるように取り付けた。和装要素は、着物、帯、羽織、コート、足袋、半襟、伊達襟１０、帯揚、帯締、襟巻き又は肩掛け（羽毛ショール２０）である。着物には、振袖、留袖、打掛、訪問着、付け下げ、色無地、袴、浴衣、小紋、紬、その他の各種着物が含まれる。
【００１５】
以下、本発明を具体化した実施例について説明する。なお、実施例で記す材料、構成、数値は例示であって、適宜変更できる。
【実施例１】
【００１６】
図１及び図２に示す実施例１の和装要素は、伊達襟１０である。伊達襟１０は、着物７を重ね着しているように見せかけるために襟８に重ねる襟（重ね襟）であり、襟８と半襟９の間に、これらとは違う色の伊達襟１０の内縁部分が一筋見えるようになるため、華やかになる。本実施例では、この伊達襟１０の内縁部分に、該内縁に沿って延びるように、リード線２で結線された所定の相互間隔をおく複数（例えば１０〜３０個）のＬＥＤ１が配され、該ＬＥＤ１の発光が外部から視認できるように取り付けられている。取り付けは、リード線２の所々が縫糸５により縫い付けられたことによるが、これに限定されるものではない。
【００１７】
リード線２で結線された複数のＬＥＤ１は、伊達襟１０に対して、例えば次の３通りの位置に配することができる。
図２（ａ）に示すように、リード線２とＬＥＤ１を伊達襟１０の外側に配する。当然、ＬＥＤ１の発光面３は伊達襟１０の外部に現れ、鮮やかな輝きが見られる。この場合、伊達襟１０の素材は透光性があるものでもないものでもよい。
図２（ｂ）に示すように、リード線２とＬＥＤ１の発光面３以外の部位を伊達襟１０の内側に配し、発光面３のみを伊達襟１０の外部に現わす。この場合も、鮮やかな輝きが見られ、伊達襟１０の素材は透光性があるものでもないものでもよい。また、リード線２が隠れるので、すっきりとした外観となる。
図２（ｃ）に示すように、リード線２とＬＥＤ１を伊達襟１０の内側に配する。この場合、伊達襟１０の素材は透光性があるものとする。ＬＥＤ１の発光面３が透光性の素材の内側にあると、該素材を通して柔らかな輝きが見られる。また、リード線２が隠れるので、すっきりとした外観となる。
【００１８】
リード線２は、伊達襟１０の端部から引き延ばされてその先にコントローラ付き電源４が接続されている。コントローラ付き電源４は、ＬＥＤ１に電圧を印加して発光させるとともに、その発光状態を、連続、点滅、フラッシュ、ランダム等に切り替えるものである。コントローラ付き電源４は、襟８の内側に隠しておけばよい。
【００１９】
この伊達襟１０によれば、図１に示すように、上述のとおり襟８と半襟９とは違う色で一筋見える伊達襟１０の内縁部分で、さらに複数のＬＥＤ１が発光するので、とても華やかに見せることができる。また、発光により、その華やかさが距離が離れても暗いところでも分かりやすい。
【実施例２】
【００２０】
図３に示す実施例２の和装要素は、羽毛ショール２０である。羽毛ショール２０は、ボリュームのある華やかな肩掛けであり、基皮２１と、基皮２１の表面から延びる起毛部２２と、基皮２１の裏面を隠す裏布２３とからなる。本実施例では、この羽毛ショール２０の基皮２１に、リード線２で結線された所定の相互間隔をおく複数のＬＥＤ１が取り付けられている。取り付けは、リード線２の所々が縫糸５により縫い付けられたことによるが、これに限定されるものではない。
【００２１】
リード線２とＬＥＤ１は起毛部２２の内部に埋もれている。しかし、起毛部２２は隙間が多く透光性なので、ＬＥＤ１の発光は起毛部２２を通して外部から視認することができ、起毛部２２を通して柔らかな輝きが見られる。また、リード線２が隠れるので、すっきりとした外観となる。コントローラ付き電源４については、実施例１と同様なので、説明及び図示を省略する。
【００２２】
この羽毛ショール２０によれば、図３に示すように、ボリュームのある華やかな肩掛けで、さらに複数のＬＥＤ１が発光するので、とても華やかに見せることができる。また、発光により、その華やかさが距離が離れても暗いところでも分かりやすい。
【００２３】
なお、本考案は前記実施例に限定されるものではなく、例えば次のように、考案の趣旨から逸脱しない範囲で適宜変更して具体化することができる。
（１）伊達襟１０や羽毛ショール２０以外の和装要素、例えば、着物（振袖、留袖、打掛、訪問着、付け下げ、色無地、袴、浴衣、小紋、紬、その他の各種着物）、帯、羽織、コート、足袋、小物（半襟、帯揚、帯締、襟巻き）に、リード線２で結線された複数のＬＥＤ１を、該ＬＥＤ１の発光が外部から視認できるように取り付けること。
（２）和装要素に、リード線２で結線された複数のＬＥＤ１を取り付ける手段として、縫糸による縫着の他、例えば、クリップによる挟着や、安全ピンによる留着等を採用すること。
【符号の説明】
【００２４】
１    ＬＥＤ
２    リード線
３    発光面
４    コントローラ付き電源
５    縫糸
７    着物
８    襟
９    半襟
１０    伊達襟
２０    羽毛ショール
２１    基皮
２２    起毛部
２３    裏布
【図１】
0003206835.tif 000003
【図２】
0003206835.tif 000004
【図３】
0003206835.tif 000005